(57)【特許請求の範囲】
【請求項１】
使用位置と格納位置との間を移動可能な閃光発光部を内蔵する閃光発光部内蔵カメラにおいて、
前記閃光発光部を格納位置から使用位置に駆動する駆動手段と、
押下可能であり、該操作に応じて前記駆動手段を駆動せしめて、前記閃光発光部を格納位置から使用位置に駆動せしめる駆動指示操作ボタンと、
回転操作可能であり、前記駆動指示操作ボタンへの前記押下操作と共にする該回転操作に応じて、前記閃光発光部が前記使用位置において動作する動作内容を設定変更せしめる第１のコマンドダイヤルと、
回転操作可能であり、且つ前記第１のコマンドダイヤルとは異なるコマンドダイヤルであって、前記駆動指示操作ボタンへの前記押下操作と共にする該回転操作に応じて、前記閃光発光部が前記使用位置において発光する際の発光量の過不足量である調光補正量を設定変更せしめる第２のコマンドダイヤルと、
シャッタ速度及び絞り値を表示可能であり、且つ前記駆動指示操作ボタンの押下操作に応じてその表示内容を、当該シャッタ速度及び絞り値の表示から、当該駆動指示操作ボタンの押下操作中に設定変更可能な前記動作内容及び前記調光補正量の表示に切換えて表示する表示部と、を備えることを特徴とする閃光発光部内蔵カメラ。
【請求項２】
請求項１に記載の閃光発光部内蔵カメラにおいて、
前記第１のコマンドダイヤルは、前記駆動指示操作ボタンを押下操作しながら回転操作することにより、先幕シンクロ発光、赤目現象軽減発光、赤目現象軽減発光スローシンクロ発光、スローシンクロ発光、後幕シンクロ発光、発光禁止の中の少なくとも２つ以上の動作内容から選択的に設定変更することができることを特徴とする閃光発光部内蔵カメラ。
【請求項３】
請求項１又は２に記載の閃光発光部内蔵カメラにおいて、
被写体の輝度条件に応じて前記駆動手段を駆動して前記閃光発光部を前記格納位置から前記使用位置へと移動させる自動移動モード、又は、撮影者の手動操作により前記駆動手段を駆動して前記閃光発光部を格納位置から使用位置へと移動させる手動移動モードのいずれかを示すフラグを設定する移動モード設定部と、
前記閃光発光部により被写体を照明する閃光発光を行う照明発光モード、又は、前記閃光発光部を間欠的に発光させて光信号として情報の送信を行う情報送信発光モードのいずれかを示すパラメータを設定する発光モード設定部と、
前記自動移動モードを示すフラグが設定されているときには、前記情報送信発光モードを示すパラメータの設定の有無にかかわらずに前記情報送信発光モードの動作をさせず、前記自動移動モードを動作させるよう制御する制御部と、を備えることを特徴とする閃光発光部内蔵カメラ。
【請求項４】
請求項１又は２に記載の閃光発光部内蔵カメラにおいて、
被写体の輝度条件に応じて前記駆動手段を駆動して前記閃光発光部を格納位置から使用位置へと移動させる自動移動モード、又は、撮影者の手動操作により前記駆動手段を駆動して前記閃光発光部を格納位置から使用位置へと移動させる手動移動モードのいずれかを示すフラグを設定する移動モード設定部と、
前記閃光発光部により被写体を照明する閃光発光を行う照明発光モード、又は、前記閃光発光部を間欠的に発光させて光信号として情報の送信を行う情報送信発光モードのいずれかを示すパラメータを設定する発光モード設定部と、を備え、
前記移動モード設定部及び前記発光モード設定部は、前記自動移動モードを示すフラグが設定されているときには、前記情報送信発光モードを示すパラメータを設定不能にすることを特徴とする閃光発光部内蔵カメラ。
【請求項５】
請求項３又は４に記載の閃光発光部内蔵カメラにおいて、
前記自動移動モードと前記情報送信発光モードとが併せて設定されようとしたとき、及び／又は、前記自動移動モードと前記情報送信発光モードとが併せて設定されたときに、警告を行う警告部を有すること、を特徴とする閃光発光部内蔵カメラ。
【請求項６】
請求項３〜５の何れか一項に記載の閃光発光部内蔵カメラにおいて、
前記表示部は、前記移動モード設定部及び／又は前記発光モード設定部による設定内容を表示可能であり、前記照明発光モードが設定されている場合には、その旨を表す照明発光マークと枠とを表示し、前記発光モード設定部により前記情報送信発光モードが設定された場合には、前記照明発光マークを消灯して前記枠を表示すること、を特徴とする閃光発光部内蔵カメラ。
【発明の詳細な説明】
【技術分野】
【０００１】
本発明は、使用位置と格納位置との間を移動可能な閃光発光部を内蔵する閃光発光部内蔵カメラに関するものである。
【背景技術】
【０００２】
撮影時に補助照明光として利用するために閃光発光を行う閃光発光部を内蔵したカメラでは、使用位置と格納位置との間を移動可能な閃光発光部を有するものが多くなっている。
このようなカメラにおいて、閃光発光に関する主な操作を、少ない操作部材で簡単に設定できるものは従来なかった。
また、そのような閃光発光部内蔵カメラの中には、閃光発光部の格納位置から使用位置への移動（以下、ポップアップと呼ぶ）は、撮影者が意識的に操作することにより行う方式（以下、手動移動モードと呼ぶ）を採用するものがある。
他方で、上述の場合と同様な閃光発光部内蔵カメラであっても、被写体の輝度情報に応じてカメラの制御部等で閃光発光の必要性を判断し、閃光発光が必要な場合にのみ閃光発光部のポップアップをばね付勢力等により行う方式（以下、自動移動モードと呼ぶ）を採用するものもある（例えば、特許文献１）。
自動移動モードを採用しているカメラであっても、撮影者自身の操作により比較的高度な撮影技法を駆使したい場合と、簡単に操作したい場合との両方に対応することができるように、手動移動モード及び自動移動モードの両方を選択的に行うことができるようにすることが多い。
【０００３】
一方、閃光発光装置を利用して被写体を照明する手法として、カメラから離れた位置に配置した遠隔（リモート）閃光発光装置をカメラからの指示により発光させる手法が知られており、このカメラから遠隔閃光発光装置への指示を行う通信を、カメラに取り付けられたマスター閃光発光装置の間欠的なパルス状の発光を利用した光通信により行う手法が知られている。また、特許文献２には、この光通信をカメラに内蔵された閃光発光部により行う形態が記載されている。
【０００４】
しかし、上述の手動移動モード及び自動移動モードの両方を選択的に行うことができるカメラにおいて、自動移動モードを行う設定と、光通信をカメラに内蔵された閃光発光部により行う設定（以下、情報送信発光モード）とが併せて動作してしまうと、以下のような問題が発生する。
例えば、自動移動モードでは、輝度情報を基にして閃光発光部を発光させるか否か、すなわち、閃光発光部をポップアップさせるか否かを判断しているので、撮影者が情報送信発光モードを選択していても、閃光発光部がポップアップを行わず、遠隔閃光発光装置へ光信号を伝えることができないという問題がある。
【０００５】
また、被写界が暗い場合などに自動的にポップアップを行ったとしても、遠隔閃光発光装置が設置されているとは限らず、光通信に用いる間欠的な閃光発光（以下、通信発光）を行ってよいものかカメラとしては判断できず、また、勝手に通信発光を行っても、エネルギーの無駄になり、カメラの電池が消耗してしまうという問題があった。
さらに、自動移動モードにおいて情報送信発光モードが設定された場合には、常に閃光発光部を使用位置に移動しておくという選択肢もあり得るが、そのようにしても、遠隔閃光発光装置が設置されているとは限らず、上述と同様な問題が発生してしまう。
【０００６】
さらにまた、自動移動モードを使用する場合は、簡単に撮影を行いたい場合であったり、初心者等が使用する場合であったりするので、そのような場合に、高度な撮影技法である遠隔閃光発光装置を利用した撮影を行う情報送信発光モードを行えるようにすると、自動移動モードを設けておく利点が薄れ、かえって使い勝手が悪くなってしまうという問題があった。
【特許文献１】特開平１０−１８６４７１号公報
【特許文献２】特開２０００−８９３０５号公報
【発明の開示】
【発明が解決しようとする課題】
【０００７】
本発明の課題は、閃光発光に関する主な操作を、少ない操作部材で簡単に設定するカメラを提供することである。
【課題を解決するための手段】
【０００８】
請求項１の発明は、使用位置と格納位置との間を移動可能な閃光発光部を内蔵する閃光発光部内蔵カメラにおいて、前記閃光発光部を格納位置から使用位置に駆動する駆動手段と、押下可能であり、該操作に応じて前記駆動手段を駆動せしめて、前記閃光発光部を格納位置から使用位置に駆動せしめる駆動指示操作ボタンと、回転操作可能であり、前記駆動指示操作ボタンへの前記押下操作と共にする該回転操作に応じて、前記閃光発光部が前記使用位置において動作する動作内容を設定変更せしめる第１のコマンドダイヤルと、回転操作可能であり、且つ前記第１のコマンドダイヤルとは異なるコマンドダイヤルであって、前記駆動指示操作ボタンへの前記押下操作と共にする該回転操作に応じて、前記閃光発光部が前記使用位置において発光する際の発光量の過不足量である調光補正量を設定変更せしめる第２のコマンドダイヤルと、シャッタ速度及び絞り値を表示可能であり、且つ前記駆動指示操作ボタンの押下操作に応じてその表示内容を、当該シャッタ速度及び絞り値の表示から、当該駆動指示操作ボタンの押下操作中に設定変更可能な前記動作内容及び前記調光補正量の表示に切換えて表示する表示部と、を備えることを特徴とする閃光発光部内蔵カメラである。
【０００９】
請求項２の発明は、請求項１に記載の閃光発光部内蔵カメラにおいて、前記第１のコマンドダイヤルは、前記駆動指示操作ボタンを押下操作しながら回転操作することにより、先幕シンクロ発光、赤目現象軽減発光、赤目現象軽減発光スローシンクロ発光、スローシンクロ発光、後幕シンクロ発光、発光禁止の中の少なくとも２つ以上の動作内容から選択的に設定変更することができることを特徴とする閃光発光部内蔵カメラである。
請求項３の発明は、請求項１又は２に記載の閃光発光部内蔵カメラにおいて、被写体の輝度条件に応じて前記駆動手段を駆動して前記閃光発光部を前記格納位置から前記使用位置へと移動させる自動移動モード、又は、撮影者の手動操作により前記駆動手段を駆動して前記閃光発光部を格納位置から使用位置へと移動させる手動移動モードのいずれかを示すフラグを設定する移動モード設定部と、前記閃光発光部により被写体を照明する閃光発光を行う照明発光モード、又は、前記閃光発光部を間欠的に発光させて光信号として情報の送信を行う情報送信発光モードのいずれかを示すパラメータを設定する発光モード設定部と、前記自動移動モードを示すフラグが設定されているときには、前記情報送信発光モードを示すパラメータの設定の有無にかかわらずに前記情報送信発光モードの動作をさせず、前記自動移動モードを動作させるよう制御する制御部と、を備えることを特徴とする閃光発光部内蔵カメラである。
請求項４の発明は、請求項１又は２に記載の閃光発光部内蔵カメラにおいて、被写体の輝度条件に応じて前記駆動手段を駆動して前記閃光発光部を格納位置から使用位置へと移動させる自動移動モード、又は、撮影者の手動操作により前記駆動手段を駆動して前記閃光発光部を格納位置から使用位置へと移動させる手動移動モードのいずれかを示すフラグを設定する移動モード設定部と、前記閃光発光部により被写体を照明する閃光発光を行う照明発光モード、又は、前記閃光発光部を間欠的に発光させて光信号として情報の送信を行う情報送信発光モードのいずれかを示すパラメータを設定する発光モード設定部と、を備え、前記移動モード設定部及び前記発光モード設定部は、前記自動移動モードを示すフラグが設定されているときには、前記情報送信発光モードを示すパラメータを設定不能にすることを特徴とする閃光発光部内蔵カメラである。
請求項５の発明は、請求項３又は４に記載の閃光発光部内蔵カメラにおいて、前記自動移動モードと前記情報送信発光モードとが併せて設定されようとしたとき、及び／又は、前記自動移動モードと前記情報送信発光モードとが併せて設定されたときに、警告を行う警告部を有すること、を特徴とする閃光発光部内蔵カメラである。
【００１０】
請求項６の発明は、請求項３〜５の何れか一項に記載の閃光発光部内蔵カメラにおいて、前記表示部は、前記移動モード設定部及び／又は前記発光モード設定部による設定内容を表示可能であり、前記照明発光モードが設定されている場合には、その旨を表す照明発光マークと枠とを表示し、前記発光モード設定部により前記情報送信発光モードが設定された場合には、前記照明発光マークを消灯して前記枠を表示すること、を特徴とする閃光発光部内蔵カメラである。
【発明の効果】
【００１３】
本発明によれば、以下の効果を奏することができる。
駆動指示操作ボタンを操作しながら操作することにより閃光発光部の動作内容を指示することができる第１のコマンドダイヤルと、第１のコマンドダイヤルとは別の操作手段であって、駆動指示操作ボタンを操作しながら操作することにより閃光発光部の発光量の過不足量である調光補正量を指示することができる第２のコマンドダイヤルとを備えるので、操作部材を減らすことによりコストダウンを図ることができ、また、操作性の向上も図ることができる。
【００１４】
（２）制御部は、自動移動モードと情報送信発光モードとが併せて設定された場合には、後に設定されたモードについて設定が行われなかった場合と同様な動作を行うので、撮影者に意識させることなく、自然に動作をすることができる。
【００１５】
（３）制御部は、自動移動モードと情報送信発光モードとが併せて設定された場合には、後に行われた設定に対応するように先に行われた設定を変更するので、直前の操作が優先されるという点で、使い勝手のよいカメラとすることができる。
【００１６】
（４）制御部は、自動移動モードと情報送信発光モードとが併せて設定された場合には、後に行われた設定を解除することができるので、設定を誤って行ったとしてもその設定がされていない状態と同じ状態となり、初心者等にとって使いやすいカメラとすることができる。
【００１７】
（５）制御部は、自動移動モードを優先して制御を行うので、初心者等にとって使いやすいカメラとすることができる。
【００１８】
（６）移動モード設定部及び発光モード設定部は、後に行われる設定では、自動移動モードと情報送信発光モードとを併せて設定できないようにするので、誤った設定をしてしまうことを防止できる。
【００１９】
（７）自動移動モードと情報送信発光モードとが併せて設定されようとしたとき、及び／又は、自動移動モードと情報送信発光モードとが併せて設定されたときに、警告を行う警告部を有するので、撮影者は、自分の設定操作に問題があるということを認識できる。
【００２０】
（８）表示部は、情報送信発光モードが設定されていることを表示するので、通常の使い方とは異なる情報送信発光モードであるということを撮影者が簡単に把握することができる。
【００２１】
（９）表示部は、照明発光モードが設定されているときには、その旨を表す照明発光マークを表示し、照明発光マークを表示しないことにより情報送信発光モードが設定されていることを表すので、新たな表示パターンを用意しなくとも、情報送信発光モードが設定されていることを表示することができる。
【００２２】
（１０）駆動指示操作手段を操作しながら操作することにより閃光発光部の動作内容を指示することができる第１の指示操作手段と、第１の指示操作手段とは別の操作手段であって、駆動指示操作手段を操作しながら操作することにより閃光発光部の発光量の過不足量である調光補正量を指示することができる第２の指示操作手段とを備えるので、操作部材を減らすことによりコストダウンを図ることができ、また、操作性の向上も図ることができる。
【００２３】
（１１）第１の指示操作手段は、駆動指示操作手段を操作しながら操作することにより、先幕シンクロ発光、赤目現象軽減発光、赤目現象軽減発光スローシンクロ発光、スローシンクロ発光、後幕シンクロ発光、発光禁止の中の少なくとも２つ以上の動作内容から選択的に指示することができるので、閃光発光に関する主な操作を簡単に設定することができる。
【発明を実施するための最良の形態】
【００２４】
自動移動モードと情報送信発光モードとが同時に動作することにより撮影者の意に反する動作を行ったり、使い勝手が悪くなったりすることのないようにするという目的を、簡単かつ確実に実現した。
【実施例】
【００２５】
図１は、本実施例における閃光発光部内蔵カメラ（以下、単にカメラとする）の構成を示すブロック図である。
本実施例におけるカメラは、撮像素子を用いて画像を電子的に撮影する所謂デジタルカメラである。一般的に、撮像素子を有するデジタルカメラにおいて、閃光発光部が発光した閃光が被写体によって反射し、カメラに戻ってきた反射光を撮影レンズＬを透過して受光して閃光発光部の発光量を制御するためには、本発光前に閃光発光部を微少光量で予備発光（プリ発光）を行い、本発光量を決定する必要がある。
【００２６】
閃光発光部１５１は、使用位置と格納位置との間を移動可能なようにカメラに内蔵されているストロボ発光部である。閃光発光部１５１は、不図示の付勢ばねにより使用位置方向へ付勢されているが、格納位置にあるときには、不図示の係止手段により係止されて格納位置に保持されている。閃光発光部１５１が格納位置にあるときに後述のマグネット１０４が動作すると、その駆動力によって係止手段による係止が解除され、付勢ばねによる使用位置方向への付勢力により使用位置へポップアップを行う。なお、本実施例では、使用位置から格納位置への移動は、手動でも行うが、この移動についてもアクチュエータを用いて駆動する。
【００２７】
演算回路１０１は、マイクロコンピュータなどによって構成される回路であり、後述する各ブロックから出力される信号を入力して所定の演算を行い、演算結果に基づいて制御信号を各ブロックへ出力する。演算回路１０１は、閃光発光を伴わない撮影時におけるカメラ制御の他に、閃光発光を伴う撮影時には、閃光発光に関する動作を制御する機能も有した制御部である。
閃光発光部発光回路１０２は、演算回路１０１の指示により充電を開始するとともに、充電完了を演算回路１０１に出力し、さらに演算回路１０１からの発光開始、及び、発光停止の指示により発光部１５１の発光、及び、その停止を制御する。
ポップアップ検知スイッチＳＷ１は、閃光発光部１５１のポップアップを検出する検出部であり、一端は接地され、他端は演算回路１０１に入力されている。
【００２８】
測光部１０３は、演算回路１０１からの指示により撮影レンズＬを透過した被写体光量を検出し、この検出結果を演算回路１０１に入力する。また、この測光部１０３は、閃光発光部１５１の発光した閃光が被写体から反射した反射光を、撮影レンズＬを透過して受光し、この受光信号を時間積分し、その時間積分値を演算回路１０１へ出力する。
マグネット１０４は、閃光発光部１５１をポップアップさせるときに動作するアクチュエータであり、駆動回路１０５により駆動されて作動する。マグネット１０４，駆動回路１０５及び先に説明した不図示の付勢ばね等によって閃光発光部１５１をポップアップさせる駆動手段が形成されている。
【００２９】
ランプ１０６は、閃光発光部１５１の発光前に赤目現象を軽減するために発光するランプであり、駆動回路１０７により駆動されて発光する。
表示部１０８は、シンクロモード、マニュアル発光モード、コマンド発光モード、調光補正マーク、調光補正値、シャッタ速度、絞り値などを表示する液晶表示部である。
ここで、表示部１０８の表示内容について説明する。
図１１は、表示部１０８の表示セグメントを全て表示した図である。
図１２は、Ｐモード時に不図示のシンクロモードボタンを押下した時の表示部１０８の表示を示す図である。
この場合に表示されるのは、シンクロモード、調光補正マーク及び調光補正値である。この図１２では、先幕シンクロモードで調光補正値が０．０の場合を示している。
【００３０】
図１３は、Ｐモードにおけるシンクロモード毎の表示を示す図である。
図１２に示した状態で、さらに不図示のメインコマンドダイヤルを回転すると図１２のシンクロモード部分が変更され、図１３（ａ）赤目軽減シンクロモード、図１３（ｂ）赤目軽減スローシンクロモード、図１３（ｃ）スローシンクロモード、図１３（ｄ）後幕シンクロモード及び図１２の先幕シンクロモードを含めた表示のいずれかとなる。
また、表示例は示さないが、図１２の状態で不図示のサブコマンドダイヤルを回転すると調光補正値を変更することができる。
【００３１】
図１４は、全自動モード時に不図示のシンクロモードボタンを押下した時の表示部１０８の表示を示す図である。
この場合に表示されるのは、シンクロモードのみである。この図１４では、自動発光モードの場合を示している。
図１４の状態で、さらに不図示のメインコマンドダイヤルを回転すると図１４のシンクロモード部分が変更され、図１５（ａ）赤目軽減自動発光モード、図１５（ｂ）発光禁止モード及び図１４の自動発光モードを含めた表示のいずれかになる。
図１５は、全自動モードにおけるシンクロモード毎の表示を示す図である。
【００３２】
図１６は、コマンド発光モード時の表示を示す図である。
コマンド発光モードを示す表示は、シンクロモードセグメントの枠のみを点灯することでコマンド発光モードであることを表示する。別の言い方をすると、閃光発光部１５１が照明光として閃光を発光する発光モードでは、図１２中の矢印が途中で折れ曲がった稲妻のような図形で照明発光を行う旨を表示する照明発光マークＡと枠Ｂとが表示されるが、コマンド発光モードでは、照明発光マークＡを消灯する。なお、全自動モードにおいて閃光発光部１５１を全く発光させない発光禁止では、上述の図１５（ｂ）の表示を行い、Ｐモードにおいて閃光発光部１５１をポップアップさせずに格納位置にあることにより発光を行わない場合には、照明発光マークＡ，枠Ｂ，図１５（ｂ）の表示のいずれも表示しない。したがって、すべての状態を確実に表示することができる。
このようにすることで、液晶表示のセグメントを増やすことなくコマンド発光モードであることを表示することができる。
【００３３】
図１７は、発光モードがマニュアル発光モード時に点灯するセグメントを示す図である。
図１８は、撮影モードがＰモード、シンクロモードが赤目軽減スローシンクロモードであり、発光モードは、ＴＴＬ調光モードであり、調光補正を設定した場合の表示例を示す図である。
図１９は、全自動モードでシンクロモードが自動発光モードの表示例を示す図である。
なお、全自動モードでは、発光モードは、必ずＴＴＬ調光モードとなる。
図２０は、撮影モードがＰモード、シンクロモードが先幕シンクロモードであり、発光モードは、マニュアル発光モードである場合の表示例を示す図である。
図２１は、全自動モードでシンクロモードが発光禁止モードの表示例を示す図である。
図２２は、撮影モードがＰモード、発光モードがコマンド発光モードの表示例を示す図である。
【００３４】
撮影モード設定部１０９は、撮影モードダイヤル、ブラシ、撮影モードダイヤル位置検出パターン等から構成され、撮影者が回転操作した撮影モードダイヤルの位置により選択された撮影モードを演算回路１０１へ出力する。
撮影モードとは、撮影時の露出値決定をどのように行うのかという点を主な観点としてカメラの撮影時の動作形態を複数種類に分けたものであり、本実施例では、プログラムオートモード（以下、Ｐモード）、シャッタ優先オートモード、絞り優先オートモード、マニュアルモード、全自動モード、イメージプログラムモードを備えている。
【００３５】
Ｐモードは、被写体輝度毎にあらかじめ設定されている絞り値及びシャッタ速度の組み合わせ（プログラム線図）に従い撮影時の絞り値及びシャッタ速度を決定するモードである。また、Ｐモードでは、プログラムシフト、露出補正、オートブラケッティング、多重露出、スローシンクロ、後幕シンクロ等を使用できるようになっている。さらに、Ｐモードでは、閃光発光部１５１のポップアップは、撮影者が必要であると判断したときに、手動操作を行うことによりマグネット１０４を駆動させてポップアップを行う手動移動モードとなる。
【００３６】
一方、全自動モードは、カメラが自動的にセットする絞り値及びシャッタ速度の組み合わせは同じであるが、被写体輝度に応じて必要なときに閃光発光部１５１を自動的にポップアップさせる（自動移動モードが設定される）ようになっている。
したがって、撮影モード設定部１０９は、閃光発光部１５１の移動モードを実質的に設定する移動モード設定部の機能も有している。
上述のその他の撮影モードを選択した場合の閃光発光部１５１の移動モードは、シャッタ優先オートモード、絞り優先オートモード、マニュアルモードでは、手動移動モードとなる。
【００３７】
また、イメージプログラムモードは、さらに、ポートレートモード、風景モード、クローズアップモード、スポーツモード、夜景ポートレートモードに細かく分かれており、そのうち、風景モード及びスポーツモードは、手動移動モードとなり、残るポートレートモード、クローズアップモード、夜景ポートレートモードは、自動移動モードとなる。
なお、本発明では、この移動モード設定部としての動作が重要になり、撮影モードが異なることによる他の差異については本発明に大きな影響を与えないので、以下の説明では、理解を容易にするために、Ｐモードと全自動モードの２つのモードについてのみ説明を行う。
【００３８】
シンクロモードスイッチＳＷ２は、不図示のシンクロモードボタンの押下げに連動してオンし、押下げの解除に連動してオフするスイッチである。不図示のシンクロモードボタンを押し下げてシンクロモードスイッチＳＷ２がオンすると、閃光発光部１５１のポップアップを行うことができる。すなわち、不図示のシンクロモードボタン及びシンクロモードスイッチＳＷ２により、駆動手段１０５に閃光発光部１５１をポップアップさせる指示を与えるときに操作する駆動指示操作手段の機能を有していることになる。また、シンクロモードボタンを押し下げた状態でメインコマンドダイヤル又はサブコマンドダイヤルを回転することにより、シンクロモード又は調光補正量の変更及び設定をすることができる（詳細は、後述する）。
【００３９】
スイッチＳＷ３，ＳＷ４は、不図示のメインコマンドダイヤルの回転に連動してオン、オフするスイッチであり、演算回路１０１に接続されている。そして演算回路１０１は、スイッチＳＷ３，ＳＷ４の出力から得られる信号の位相差によって不図示のメインコマンドダイヤルの回転方向を判定する。なお、不図示のメインコマンドダイヤル及びスイッチＳＷ３，ＳＷ４により、第１の指示操作手段が形成されている。
【００４０】
スイッチＳＷ５，ＳＷ６は、不図示のサブコマンドダイヤルの回転に連動してオン、オフするスイッチであり、演算回路１０１に接続されている。そして演算回路１０１は、スイッチＳＷ５，ＳＷ６の出力から得られる信号の位相差によって不図示のサブコマンドダイヤルの回転方向を判定する。なお、不図示のサブコマンドダイヤル及びスイッチＳＷ５，ＳＷ６により、第２の指示操作手段が形成されている。
【００４１】
モータ制御回路１１２は、シーケンスモータ１１３の回転を制御する部分である。シーケンスモータ１１３は、すでに公知のシーケンス駆動装置に組み込まれ、このシーケンス駆動装置を駆動することによりミラーのアップ・ダウン、絞りの絞り込み・開放復帰、シャッタチャージを行う。なお、このシーケンス駆動装置には、シーケンススイッチＳＷ７が配設されてミラーアップ動作開始直後からオフし、ミラーアップ完了直前からミラーアップ中にオンとなる。また、ミラーダウン開始直後からオフし、ミラーダウン直前からミラーダウン中オンとなる。こうしたタイミングでオン・オフするこのシーケンススイッチＳＷ７の状態によりシーケンスモータ１１３の駆動及びブレーキの制御を行うことでシーケンス駆動装置の動作を制御することが以下のように可能となる。
【００４２】
まず、シーケンス駆動装置がミラーダウン状態でシーケンスモータ１１３が停止している状態では、シーケンススイッチＳＷ７は、オン状態を保っている。ミラーアップのためにシーケンスモータ１１３を正転すると、シーケンス駆動装置が作動して若干の時間遅れでシーケンススイッチＳＷ７がオフする。シーケンスモータ１１３の正転を継続するとシーケンス駆動装置の作動によりミラーアップ及び絞りの絞込みが行われる。さらにシーケンスモータ１１３の正転を継続すると、シーケンス駆動装置の作動によってミラーアップ完了の直前にシーケンススイッチ１１３がオンするので、ここで、シーケンスモータ１１３のブレーキ制御を行ってシーケンスモータ１１３を停止してシーケンス駆動装置によるミラーアップ動作を停止する。なお、絞りの絞込み動作は、ミラーアップ完了までには終了するようにシーケンス駆動装置が構成されている。
【００４３】
一方、ミラーアップ状態では、シーケンススイッチＳＷ７は、オン状態を維持している。ミラーダウンのためにシーケンスモータ１１３を逆転すると、シーケンス駆動装置が作動して若干の時間遅れでシーケンススイッチＳＷ７がオフする。シーケンスモータ１１３の逆転を継続すると、シーケンス駆動装置の作動によりミラーダウンが行われ、また、絞りが係止されている場合には、係止の解除がなされるとともに絞りの開放への復帰が行われ、さらに後述のシャッタ１１５のチャージが行われる。さらにシーケンスモータ１１３の逆転を継続すると、シーケンス駆動装置の作動によってミラーダウン完了の直前にシーケンススイッチＳＷ７がオンするので、ここで、シーケンスモータ１１３のブレーキ制御を行ってシーケンスモータ１１３を停止してシーケンス駆動装置によるミラーダウン動作を停止する。なお、絞りの開放復帰及びシャッタ１１５のチャージはミラーダウン完了までには終了するようにシーケンス駆動装置が構成されている。
【００４４】
シャッタ制御回路１１４は、シャッタ１１５の先幕及び後幕の保持及びそれぞれの解除を制御する。なお、シャッタ１１５は、シーケンス駆動装置のミラーアップ途中でチャージの解除がなされるので、シーケンス駆動装置によるミラーアップ動作前にシャッタ１１５の先幕及び後幕の保持を行う必要がある。
なお、Ｘ接点スイッチＳＷ８は、シャッタ１１５の先幕が走行を完了するとオンし、シャッタ１１５のチャージ途中でオフする。
絞り位置検出装置１１６は、シーケンス駆動装置により絞りが絞り込まれるときの絞りの位置を検出する。
絞り係止装置１１７は、この絞り係止装置１１７を作動させることにより絞りが係止されて絞りの絞込みが停止するようになっている。なお、この絞り係止装置１１７による絞りの係止は、シーケンス駆動装置のミラーダウン途中に解除されるようにシーケンス駆動装置が構成されている。
【００４５】
半押しスイッチＳＷ９は、不図示のレリーズボタンの全ストロークの半分程度までのストロークの押し下げに連動してオンし、全ストロークの半分程度までのストロークの押し下げを解除するとオフするスイッチであり、閃光発光部１５１のオートポップアップのための判定をするタイミングを図るときにも利用される。
レリーズスイッチＳＷ１０は、不図示のレリーズボタンの全ストロークの押し下げに連動してオンし、全ストロークの押し下げの解除によりオフするスイッチであり、撮影開始の指示のトリガとなる。
【００４６】
発光モード設定操作部材１１８は、ＴＴＬモード、マニュアル発光モード、コマンド発光モードの３種類の発光モードのいずれか一つを選択する発光モード設定部である。発光モード設定操作部材１１８は、コマンド発光モードを選択した場合には、遠隔操作する遠隔（リモート）閃光発光装置の発光モードとしてＴＴＬモード、マニュアル発光モード、外部調光モードの３種類の発光モードのいずれか一つを選択するようになっている。
ここで、ＴＴＬモード、及び、マニュアル発光モードは、被写体を照明する照明光を閃光発光部１５１により発光する照明発光モードであり、コマンド発光モードは、閃光発光部１５１を間欠的に発光させて光信号として不図示の遠隔（リモート）閃光発光装置へ情報の送信を行う情報送信発光モードである。
【００４７】
撮像素子１２１は、ＣＣＤなどの受光センサであって、撮影レンズＬを透過した被写体光を受光して撮像して画像信号を出力する。
Ａ／Ｄ変換回路１２２は、撮像装置１２１から出力されるアナログ画像信号をデジタル信号に変換する回路である。
ＡＳＩＣ１２３は、ＡＳＩＣ（Application Specific Integrated Circuit）などで構成される画像処理回路であり、デジタル信号に対してホワイトバランス（ＷＢ）調整などの画像処理、画像処理後の画像データを所定の形式で圧縮する圧縮処理、圧縮されたデータを伸長する伸長処理などの一連の処理に特化したＬＳＩ（Large Scale Integration）である。
【００４８】
タイミング回路１２４は、タイミング信号を発生して撮像装置１２１及びＡ／Ｄ変換回路１２２に駆動信号を出力する回路である。
バッファメモリ１２５は、画像処理、圧縮処理及び伸長処理など各種の処理を施す画像データを一時的に格納するメモリである。
記録媒体１２６は、圧縮処理後の画像データが記録されるメモリカード等などの媒体であり、カメラ本体に対して着脱可能に設けられている。
【００４９】
次に、本実施例のカメラの動作について、図２〜図９を用いて説明する。
図２〜図５は、演算回路１０１の動作を示すメインルーチンのフローチャートである。
カメラに不図示の電池が装填されるとプログラムがスタートし、図２のステップ（以下、単にＳとする）１以降の動作を実行する。
Ｓ１では、初期リセットとして調光補正量Ｈに０．０を代入し、撮影モードフラグＭを０にセットし、発光モードパラメータＣに１を代入し、遠隔閃光発光装置発光モードパラメータＣＣに１を代入し、発光モード保存パラメータＭＣに０を代入し、Ｐモード（プログラムモード）のシンクロモードパラメータＳに１を代入し、全自動モードのシンクロモードパラメータＳＳに１を代入する。
【００５０】
ここで、各パラメータについて説明する。
図２３は、本実施例の説明中で使用するパラメータを説明する図である。
調光補正量Ｈは、０．５段ステップで±３．０段の範囲で設定可能な値であり、プラスの大きな値に設定されるほど閃光発光部の発光量が多くなって被写体をより明るく照明し、マイナスで絶対値が大きくなるほど閃光発光部１５１の発光量が少なくなって被写体が暗く照明されることになる。
撮影モードフラグＭは、全自動モードのときに０となり、Ｐモードのときに１となるフラグである。
【００５１】
発光モードパラメータＣは、発光モードを示し、ＴＴＬ調光モードのときに１となり、マニュアル発光モードのときに２となり、コマンド発光モードのときに３となるパラメータである。
遠隔閃光発光装置発光モードパラメータＣＣは、遠隔閃光発光装置へ指示する発光モードを示し、ＴＴＬ調光モードのときに１となり、外部調光モードのときに２となり、マニュアル発光モードのときに３となるパラメータである。
発光モード保存パラメータＭＣは、全自動モードになった際にＰモードで設定された発光モードを保存するパラメータであり、Ｐモードから全自動モードに設定が変更されたときにＰモードにおいて設定された発光モードを保存する。
【００５２】
ＰモードのシンクロモードパラメータＳは、Ｐモードにおけるシンクロモードを示し、先幕シンクロモードのときに１となり、赤目軽減シンクロモードのときに２となり、赤目軽減スローシンクロモードのときに３となり、スローシンクロモードのときに４となり、後幕シンクロモードのときに５となるパラメータである。
全自動モードのシンクロモードパラメータＳＳは、全自動モードにおけるシンクロモードを示し、自動発光モードのときに１となり、赤目軽減自動発光モードのときに２となり、発光禁止モードのときに３となるパラメータである。
【００５３】
なお、本明細書中において、シンクロモードとは、上述のＰモード時の先幕シンクロモード，赤目軽減シンクロモード，赤目軽減スローシンクロモード，スローシンクロモード，後幕シンクロモード、及び、全自動モード時の自動発光モード，赤目軽減自動発光モード，発光禁止モードの総称として使用している。一方、発光モードとは、ＴＴＬ調光モード，マニュアル発光モード，コマンド発光モードの総称として使用している。
【００５４】
Ｓ２では、測光部１０３によって撮影レンズＬを透過した光量を検出する。ここで、アペックス値を用いて表示すると被写体輝度ＢＶは、撮影レンズＬの開放絞り値ＡＶ０を透過するため測光部１０３としては撮影領域をあらかじめ所定の領域に分割した各領域においてＢＶ−ＡＶ０として検出し、この測光情報を演算回路１０１へ出力する。
Ｓ３では、上記検出された各領域の測光情報ＢＶ−ＡＶ０ごとにあらかじめ判明している開放絞り値Ｆ２．８すなわちＡＶ０＝３を加算（式１）して領域毎の被写体輝度ＢＶを求めるとともに被写体全体をまとめた輝度ＢＶも算出する。
ＢＶ＝（ＢＶ−ＡＶ０）＋ＡＶ０  ・・・（式１）
【００５５】
Ｓ４では、被写体輝度ＢＶが５以下の低輝度であるか否かの判定を行う。低輝度と判定するとＳ７へ進み、そうでないと判定するとＳ５へ進む。
Ｓ５では、領域毎の被写体輝度ＢＶから逆光であるか否かの判定を行う。逆光であると判定するとＳ７へ進み、そうでないと判定するとＳ６へ進む。
Ｓ６では、マグネット駆動フラグＭＧを０にセットしてＳ８へ進む。なお、マグネット駆動フラグＭＧは、０のときに閃光発光部１５１をポップアップさせるための駆動源となるマグネット１０４を作動させず、１のときにマグネット１０４を作動させる。
Ｓ７では、マグネット駆動フラグＭＧを１にセットしてＳ８へ進む。
【００５６】
Ｓ８では、露出演算を行い、シャッタ速度ＴＶと絞り値ＡＶを決定する。露出演算の詳細については、後述する。
Ｓ９では、各種操作部材による設定を行う。設定の詳細については、後述する。
Ｓ１０では、表示部１０８による表示を行う。表示の詳細については、後述する。
Ｓ１１では、半押しスイッチＳＷ９のオン、オフにより半押し状態であるか否かを判定する。半押し状態の場合は、Ｓ１２へ進み、そうでない場合には、Ｓ２へ戻る。
【００５７】
Ｓ１２では、撮影モードフラグＭが０であるか否かにより撮影モードが全自動モードかＰモードかを判定する。撮影モードフラグＭが０であり撮影モードが全自動モードになっている場合には、Ｓ１３へ進み、撮影モードフラグＭが１であり撮影モードがＰモードになっているの場合には、Ｓ１７へ進む。
Ｓ１３では、ＳＳ＝３であるか否か、すなわち全自動モードにおけるシンクロモードが発光禁止モードであるか否かの判定を行う。ＳＳ＝３であって全自動モードにおけるシンクロモードが発光禁止モードである場合には、Ｓ１７へ進む。一方、そうでない場合には、Ｓ１４へ進む。
【００５８】
Ｓ１４では、マグネット駆動フラグＭＧが１であるか否か、すなわちマグネット１０４を作動させるのか否かの判定を行う。ＭＧ＝１であってマグネット１０４を作動させる場合には、Ｓ１５へ進み、ＭＧ＝０であってマグネット１０４を作動させない場合には、Ｓ１７へ進む。
Ｓ１５では、ポップアップ検知スイッチＳＷ１のオン、オフにより閃光発光部１５１がポップアップしているか否かを判定する。ポップアップしていると判定するとＳ１７へ進み、ポップアップしていない場合は、Ｓ１６へ進む。
【００５９】
Ｓ１６では、駆動回路１０５によりマグネット１０４を作動させて閃光発光部１５１をポップアップさせる。
Ｓ１７では、Ｓ８と同様に露出演算を行う。なお、露出演算の詳細については、後述する。
Ｓ１８では、Ｓ１０と同様に表示部１０８による表示を行う。なお、表示の詳細については、後述する。
Ｓ１９では、レリーズスイッチＳＷ１０のオン、オフによりレリーズ指示であるか否かを判定する。レリーズ指示の場合には、Ｓ２０へ進み、そうでない場合には、Ｓ２へ戻る。
【００６０】
図３に進んで、Ｓ２０では、ポップアップ検知スイッチＳＷ１のオン、オフにより閃光発光部１５１がポップアップしているか否かを判定する。閃光発光部１５１がポップアップしていると判定するとＳ２１へ進み、ポップアップしていない場合は、Ｓ３３へ進む。
Ｓ２１では、撮影モードフラグＭが０であるか否かの判定を行う。撮影モードフラグＭが０であり撮影モードが全自動モードの場合には、Ｓ５１（図５）へ進み、撮影モードフラグＭが１であり撮影モードがＰモードの場合には、Ｓ２２へ進む。
Ｓ２２では、発光モードパラメータＣが３であるか否か、すなわちコマンド発光モードであるか否かの判定を行う。発光モードパラメータＣが３でコマンド発光モードの場合にはＳ３４へ進み、発光モードがコマンド発光モードでない場合はＳ２３へ進む。
【００６１】
Ｓ２３では、発光モードパラメータＣが２であるか否か、すなわちマニュアル発光モードであるか否かの判定を行う。発光モードパラメータＣが２でありマニュアル発光モードとなっている場合には、Ｓ２４へ進み、発光モードがマニュアル発光モードでない場合、すなわち発光モードがＴＴＬ調光モードの場合には、Ｓ４１（図４）へ進む。
Ｓ２４では、ＰモードのシンクロモードパラメータＳが５であるか否か、すなわち後幕シンクロモードであるか否かの判定を行う。ＰモードのシンクロモードパラメータＳが５であり後幕シンクロモードとなっている場合には、Ｓ３２へ進み、そうでない場合には、Ｓ２５へ進む。
【００６２】
Ｓ２５では、ＰモードのシンクロモードパラメータＳが４であるか否か、すなわちスローシンクロモードであるか否かの判定を行う。ＰモードのシンクロモードパラメータＳが４でありスローシンクロモードとなっている場合には、Ｓ３１へ進み、そうでない場合には、Ｓ２６へ進む。
Ｓ２６では、ＰモードのシンクロモードパラメータＳが３であるか否か、すなわち赤目軽減スローシンクロモードであるか否かの判定を行う。ＰモードのシンクロモードパラメータＳが３であり赤目軽減スローシンクロモードとなっている場合には、Ｓ３０へ進み、そうでない場合には、Ｓ２７へ進む。
【００６３】
Ｓ２７では、ＰモードのシンクロモードパラメータＳが２であるか否か、すなわち赤目軽減シンクロモードであるか否かの判定を行う。ＰモードのシンクロモードパラメータＳが２であり赤目軽減シンクロモードとなっている場合には、Ｓ２９へ進み、そうでない場合にはＳ２８へ進む。
Ｓ２８では、撮影モードがＰモード、閃光発光部１５１がマニュアル発光モード、かつ、先幕シンクロモードの閃光発光をする撮影を行い、Ｓ２（図２）へ戻る。
Ｓ２９では、撮影モードがＰモード、閃光発光部１５１がマニュアル発光モード、かつ、赤目軽減シンクロモードの閃光発光をする撮影を行い、Ｓ２（図２）へ戻る。
【００６４】
Ｓ３０では、撮影モードがＰモード、閃光発光部１５１がマニュアル発光モード、かつ、赤目軽減スローシンクロモードの閃光発光をする撮影を行い、Ｓ２（図２）へ戻る。
Ｓ３１では、撮影モードがＰモード、閃光発光部１５１がマニュアル発光モード、かつ、スローシンクロモードの閃光発光をする撮影を行い、Ｓ２（図２）へ戻る。
Ｓ３２では、撮影モードがＰモード、閃光発光部１５１がマニュアル発光モード、かつ、後幕シンクロモードの閃光発光をする撮影を行い、Ｓ２（図２）へ戻る。
Ｓ３３では、閃光発光を行わずに撮影を行い、Ｓ２（図２）へ戻る。
【００６５】
Ｓ３４では、遠隔閃光発光装置発光モードパラメータＣＣが３であるか否か、すなわち遠隔閃光発光装置へ指示する発光モードがマニュアル発光モードであるか否かの判定を行う。遠隔閃光発光装置発光モードパラメータＣＣが３であり遠隔閃光発光装置へ指示する発光モードがマニュアル発光モードとなっている場合には、Ｓ３５へ進み、そうでない場合には、Ｓ３６へ進む。
Ｓ３５では、閃光発光部１５１より遠隔閃光発光装置へマニュアル発光モードを指示するコマンド（間欠的な閃光発光による光信号）を送信し、遠隔閃光発光装置がマニュアル発光モードで発光する撮影モードがＰモードの撮影を行い、Ｓ２（図２）へ戻る。
【００６６】
Ｓ３６では、遠隔閃光発光装置発光モードパラメータＣＣが２であるか否か、すなわち遠隔閃光発光装置へ指示する発光モードが外部調光モードであるか否かの判定を行う。遠隔閃光発光装置発光モードパラメータＣＣが２であり遠隔閃光発光装置へ指示する発光モードが外部調光モードとなっている場合には、Ｓ３７へ進み、そうでない場合、すなわち遠隔閃光発光装置発光モードパラメータＣＣが１であり遠隔閃光発光装置へ指示する発光モードがＴＴＬ調光モードとなっている場合には、Ｓ３８へ進む。
【００６７】
Ｓ３７では、閃光発光部１５１より遠隔閃光発光装置へ外部調光モードを指示するコマンド（間欠的な閃光発光による光信号）を送信して遠隔閃光発光装置が外部調光モードで発光する撮影モードがＰモードの撮影を行い、Ｓ２（図２）へ戻る。
Ｓ３８では、閃光発光部１５１より遠隔閃光発光装置へＴＴＬ調光モードを指示するコマンド（間欠的な閃光発光による光信号）を送信して遠隔閃光発光装置がＴＴＬ調光モードで発光する撮影モードがＰモードの撮影を行い、Ｓ２（図２）へ戻る。
【００６８】
図４に進んで、Ｓ４１では、ＰモードのシンクロモードパラメータＳが５であるか否か、すなわち後幕シンクロモードであるか否かの判定を行う。ＰモードのシンクロモードパラメータＳが５であり後幕シンクロモードとなっている場合には、Ｓ４へ進み、そうでない場合には、Ｓ４２へ進む。
Ｓ４２では、ＰモードのシンクロモードパラメータＳが４であるか否か、すなわちスローシンクロモードであるか否かの判定を行う。ＰモードのシンクロモードパラメータＳが４でありスローシンクロモードとなっている場合には、Ｓ４８へ進み、そうでない場合には、Ｓ４３へ進む。
【００６９】
Ｓ４３では、ＰモードのシンクロモードパラメータＳが３であるか否か、すなわち赤目軽減スローシンクロモードであるか否かの判定を行う。ＰモードのシンクロモードパラメータＳが３であり赤目軽減スローシンクロモードとなっている場合には、Ｓ４７へ進み、そうでない場合には、Ｓ４４へ進む。
Ｓ４４では、ＰモードのシンクロモードパラメータＳが２であるか否か、すなわち赤目軽減シンクロモードであるか否かの判定を行う。ＰモードのシンクロモードパラメータＳが２であり赤目軽減シンクロモードとなっている場合には、Ｓ４６へ進み、そうでない場合には、Ｓ４５へ進む。
【００７０】
Ｓ４５では、撮影モードがＰモード、閃光発光部１５１がＴＴＬ調光モード、かつ、先幕シンクロモードの閃光発光をする撮影を行い、Ｓ２（図２）へ戻る。
Ｓ４６では、撮影モードがＰモード、閃光発光部１５１がＴＴＬ調光モード、かつ、赤目軽減シンクロモードの閃光発光をする撮影を行い、Ｓ２（図２）へ戻る。
Ｓ４７では、撮影モードがＰモード、閃光発光部１５１がＴＴＬ調光モード、かつ、赤目軽減スローシンクロモードの閃光発光をする撮影を行い、Ｓ２（図２）へ戻る。
Ｓ４８では、撮影モードがＰモード、閃光発光部１５１がＴＴＬ調光モード、かつ、スローシンクロモードの閃光発光をする撮影を行い、Ｓ２（図２）へ戻る。
Ｓ４９では、撮影モードがＰモード、閃光発光部１５１がＴＴＬ調光モード、かつ、後幕シンクロモードの閃光発光をする撮影を行い、Ｓ２（図２）へ戻る。
【００７１】
図５に進んで、Ｓ５１では、マグネット駆動フラグＭＧが０であるか否か、すなわちＳ４からＳ５、Ｓ６へと進むフローにおいて低輝度でもなく逆光でもない判定がなされているか否かの判定を行う。マグネット駆動フラグＭＧが０であり低輝度でもなく逆光でもない場合には、Ｓ３３（図３）へ進み、そうでない場合にはＳ５２へ進む。
Ｓ５２では、全自動モードのシンクロモードパラメータＳＳが３であるか否か、すなわち発光禁止モードであるか否かの判定を行う。全自動モードのシンクロモードパラメータＳＳが３であり発光禁止モードとなっている場合には、Ｓ３３（図３）へ進み、そうでない場合には、Ｓ５３へ進む。
【００７２】
Ｓ５３では、全自動モードのシンクロモードパラメータＳＳが２であるか否か、すなわち赤目軽減自動発光モードであるか否かの判定を行う。全自動モードのシンクロモードパラメータＳＳが２であり赤目軽減自動発光モードとなっている場合には、Ｓ５５へ進み、そうでない場合、すなわち自動発光モードとなっている場合には、Ｓ５４へ進む。
Ｓ５４では、撮影モードが全自動モード、閃光発光部１５１がＴＴＬ調光モード、かつ、先幕シンクロモードの閃光発光をする撮影を行い、Ｓ２（図２）へ戻る。なお、撮影モードが全自動モードの自動発光モードでは、オートポップアップする点を除いて撮影モードがＰモードの先幕シンクロモードと同一の露出及び発光制御となり、そのためシンクロモードが先幕シンクロモードの閃光発光をする閃光発光部１５１を使用した撮影となる。
【００７３】
Ｓ５５では、撮影モードが全自動モード、閃光発光部１５１がＴＴＬ調光モード、かつ、赤目軽減シンクロモードの閃光発光をする撮影を行い、Ｓ２（図２）へ戻る。なお、撮影モードが全自動モードの赤目軽減自動発光モードでは、オートポップアップする点を除いて撮影モードがＰモードの赤目軽減シンクロモードと同一の露出及び発光制御となり、そのためシンクロモードが赤目軽減シンクロモードの閃光発光部１５１を使用した撮影となる。
【００７４】
次にＳ８及びＳ１７に示した露出演算について図６を用いて説明する。
図６は、図２におけるＳ８及びＳ１７の露出演算のサブルーチンを示すフローチャートである。
Ｓ１０１では、Ｓ３において得られた被写体全体をまとめた輝度ＢＶに撮像感度ＳＶを加算して露出値ＥＶを算出する。ここで、撮像感度ＳＶは、ＩＳＯ１００相当、すなわちＳＶの値は、５とする。
Ｓ１０２では、ポップアップ検知スイッチＳＷ１のオン、オフにより閃光発光部１５１がポップアップしているか否かを判定する。閃光発光部１５１がポップアップしていると判定するとＳ１０３へ進み、ポップアップしていないと判定するとＳ１０９へ進む。
【００７５】
Ｓ１０３では、シャッタ速度ＴＶの値を７、すなわち閃光発光部１５１の同調秒時１／１２５秒にセットする。
Ｓ１０４では、絞り値ＡＶの値を露出値ＥＶからシャッタ速度ＴＶを減算することにより求める。
Ｓ１０５では、絞り値ＡＶの値が３未満であるか否か、すなわち絞り値がＦ２．８よりも小さいか否かの判定を行う。絞り値ＡＶの値が３未満、すなわちＦ２．８よりも小さいと判定するとＳ１０６へ進み、そうでない場合にはＳ１０７へ進む。
Ｓ１０６では、絞り値ＡＶの値を３、すなわちＦ２．８にセットして図２へリターンする。
【００７６】
ここで、絞り値ＡＶの値が３未満の場合に絞り値ＡＶの値を３、すなわちＦ２．８にセットするのは、本実施例における撮影レンズＬの絞り値の範囲は、Ｆ２．８からＦ２２、すなわち絞り値ＡＶの値の範囲が３から９となっているからである。
Ｓ１０７では、絞り値ＡＶの値が９より大か否か、すなわち絞り値がＦ２２よりも大きいか否かの判定を行う。絞り値ＡＶの値が９より大きい、すなわちＦ２２よりも大きいと判定するとＳ１０８へ進み、そうでない場合には、図２へリターンする。
Ｓ１０８では、絞り値ＡＶの値を９、すなわちＦ２２にセットして図２へリターンする。
【００７７】
ここで、絞り値ＡＶの値が９より大きい場合に絞り値ＡＶの値を９、すなわちＦ２２にセットするのは、撮影レンズＬの絞り値の範囲は、Ｆ２．８からＦ２２、すなわち絞り値ＡＶの値の範囲が３から９となっているからである。
Ｓ１０９では、絞り値ＡＶの値に露出値ＥＶを２で除した値から１を減算した値を代入する。
Ｓ１１０〜Ｓ１１３は、前述のＳ１０５〜Ｓ１０８と同一であるので、説明を省略する。ただし、Ｓ１０５〜Ｓ１０８では、図２へリターンしたが、Ｓ１１０〜Ｓ１１３ではＳ１１４へ進む点が異なる。
【００７８】
Ｓ１１４では、シャッタ速度ＴＶの値に露出値ＥＶから絞り値ＡＶを減算した値を代入する。
Ｓ１１５では、シャッタ速度ＴＶの値が０未満であるか否か、すなわち１秒より長秒時であるか否かの判定を行う。シャッタ速度ＴＶの値が０未満、すなわち１秒より長秒時の場合には、Ｓ１１６へ進み、そうでない場合には、Ｓ１１７へ進む。
Ｓ１１６では、シャッタ速度ＴＶの値を０、すなわち１秒にセットして図２へリターンする。ここで、シャッタ速度ＴＶの値が０未満の場合にシャッタ速度ＴＶの値を０、すなわち１秒にセットするのは、本実施例におけるシャッタ１１５のシャッタ速度制御可能な範囲が１秒から１／１０００秒、すなわちシャッタ速度ＴＶの値の範囲が０から１０となっているからである。
【００７９】
Ｓ１１７では、シャッタ速度ＴＶの値が１０より大きいか否か、すなわち１／１０００秒よりも高速秒時であるか否かの判定を行う。シャッタ速度ＴＶの値が１０より大きい、すなわち１／１０００秒よりも高速秒時の場合には、Ｓ１１８に進み、そうでない場合には、図２へリターンする。
Ｓ１１８では、シャッタ速度ＴＶの値を１０、すなわち１／１０００秒にセットして図２へリターンする。ここで、シャッタ速度ＴＶの値が１０より大きい場合にシャッタ速度ＴＶの値を１０、すなわち１／１０００秒にセットするのは、本実施例におけるシャッタ１１５のシャッタ速度制御可能な範囲が１秒から１／１０００秒、すなわちシャッタ速度ＴＶの値の範囲が０から１０となっているからである。
【００８０】
次に、Ｓ９に示した設定について図７，８，９を用いて説明する。
図７〜図９は、図２におけるＳ９の設定のサブルーチンを示すフローチャートである。
Ｓ２０１では、撮影モード設定部１０９により撮影モードがＰモードに設定されているか否かの判定を行う。Ｐモードに設定されていると判定するとＳ２０２へ進み、そうでない場合、すなわち全自動モードに設定されている場合にはＳ２０６へ進む。
Ｓ２０２では、撮影モードフラグＭが０であるか否かの判定を行う。撮影モードフラグＭが０である場合は、撮影モード設定部１０９により撮影モードが全自動モードからＰモードに変更された直後と判断してＳ２０３へ進み、撮影モードフラグＭが１である場合は、Ｓ２１１へ進む。
【００８１】
Ｓ２０３では、発光モードパラメータＣの値に発光モード保存パラメータＭＣの値を代入する。
Ｓ２０４では、発光モード保存パラメータＭＣの値を０にセットする。
Ｓ２０５では、撮影モードフラグＭの値を１にセット、すなわち撮影モードをＰモードに設定してＳ２１１へ進む。
Ｓ２０６では、撮影モードフラグＭが１であるか否かの判定を行う。撮影モードフラグＭが１である場合は、撮影モード設定部１０９により撮影モードがＰモードから全自動モードに変更された直後と判断してＳ２０７へ進み、撮影モードフラグＭが０である場合は、Ｓ２１１へ進む。
【００８２】
Ｓ２０７では、発光モード保存パラメータＭＣの値に発光モードパラメータＣの値を代入してＰモードにおいてセットした発光モードを記憶する。
Ｓ２０８では、発光モードパラメータＣに１を代入して全自動モードの発光モードをＴＴＬ調光モードに設定する。
Ｓ２０９では、全自動モードのシンクロモードパラメータＳＳを１にセットして撮影モード設定部１０９により撮影モードがＰモードから全自動モードに変更された直後には、シンクロモードを自動発光モードに設定する。
【００８３】
Ｓ２１０では、撮影モードフラグＭの値を０にセット、すなわち撮影モードを全自動モードに設定してＳ２１１へ進む。
Ｓ２１１では、シンクロモードスイッチＳＷ２のオン、オフにより不図示のシンクロモードボタンの押下げか否かを判定する。シンクロモードスイッチＳＷ２のオンにより不図示のシンクロモードボタンが押し下げられていると判定するとＳ２１２へ進み、そうでない場合は、図９のＳ２５１へ進む。
【００８４】
Ｓ２１２では、撮影モードフラグＭが０であるか１であるかにより撮影モードが全自動モードであるのかＰモードであるのかを判定する。撮影モードフラグＭが０であり撮影モードが全自動モードとなっていると判定するとＳ２１３へ進み、撮影モードフラグＭが１であり撮影モードがＰモードとなっていると判定するとＳ２３１（図８）へ進む。
Ｓ２１３では、スイッチＳＷ３，ＳＷ４の出力から不図示のメインコマンドダイヤルが反時計方向に回転したか否かを判定し、反時計方向に回転したと判定するとＳ２１４へ進み、そうでないと判定した場合はＳ２１７へ進む。
【００８５】
Ｓ２１４では、全自動モードのシンクロモードパラメータＳＳが３であるか否か、すなわち全自動モードのシンクロモードが発光禁止モードであるか否かを判定する。全自動モードのシンクロモードパラメータＳＳが３であり全自動モードのシンクロモードが発光禁止モードとなっている場合には。Ｓ２１５へ進み、そうでない場合には、Ｓ２１６へ進む。
Ｓ２１５では、全自動モードのシンクロモードパラメータＳＳを１、すなわち全自動モードのシンクロモードを自動発光モードに設定してＳ２２１へ進む。
【００８６】
Ｓ２１６では、全自動モードのシンクロモードパラメータＳＳの値に１を加算してＳ２２１へ進む。これにより全自動モードのシンクロモードが自動発光モード（ＳＳ＝１）の場合には、パラメータＳＳの値が２、すなわち赤目軽減自動発光モードとなる。また、全自動モードのシンクロモードが赤目軽減自動発光モード（ＳＳ＝２）の場合には、パラメータＳＳの値が３、すなわち発光禁止モードとなる。
【００８７】
上述のＳ２１１〜Ｓ２１５及びＳ２１１〜Ｓ２１６のフローにより全自動モードにおいて不図示のシンクロモードボタンを押しながら不図示のメインコマンドダイヤルを反時計方向に回転すると、全自動モードのシンクロモードが自動発光モード，赤目軽減自動発光モード，発光禁止モードの順に変化し、また自動発光モードへ戻り、その後も同じパターンでサイクリックに変化する。
Ｓ２１７では、スイッチＳＷ３，ＳＷ４の出力から不図示のメインコマンドダイヤルが時計方向に回転したか否かを判定し、時計方向に回転したと判定するとＳ２１８へ進み、そうでないと判定した場合は、不図示のメインコマンドダイヤルは回転していないと判断してＳ２２１へ進む。
【００８８】
Ｓ２１８では、全自動モードのシンクロモードパラメータＳＳが１であるか否か、すなわち全自動モードのシンクロモードが自動発光モードであるか否かを判定する。全自動モードのシンクロモードパラメータＳＳが１で全自動モードのシンクロモードが自動発光モードの場合には、Ｓ２１９へ進み、そうでない場合には、Ｓ２２０へ進む。
Ｓ２１９では、全自動モードのシンクロモードパラメータＳＳを３、すなわち全自動モードのシンクロモードを発光禁止モードに設定してＳ２２１へ進む。
【００８９】
Ｓ２２０では、全自動モードのシンクロモードパラメータＳＳの値から１を減算してＳ２２１へ進む。これにより全自動モードのシンクロモードが赤目軽減自動発光モード（ＳＳ＝２）の場合には、パラメータＳＳの値が１、すなわち自動発光モードとなる。また、全自動モードのシンクロモードが発光禁止モード（ＳＳ＝３）の場合には、パラメータＳＳの値が２、すなわち赤目軽減自動発光モードとなる。
【００９０】
上述のＳ２１１〜Ｓ２１３，Ｓ２１７〜Ｓ２１９及びＳ２１１〜Ｓ２１３，Ｓ２１７，Ｓ２１８，Ｓ２２０のフローにより全自動モードにおいて不図示のシンクロモードボタンを押しながら不図示のメインコマンドダイヤルを時計方向に回転すると、全自動モードのシンクロモードが自動発光モード，発光禁止モード，赤目軽減自動発光モードの順に変化し、また自動発光モードへ戻り、その後も同じパターンでサイクリックに変化する。
Ｓ２２１では、表示部１０８にシンクロモードを表示してＳ２２２へ進む。
Ｓ２２２では、撮影モードフラグＭが０であるか否かにより撮影モードが全自動モードであるのかＰモードであるのかを判定する。撮影モードフラグが０であり撮影モードが全自動モードになっていると判定するとＳ２２４へ進み、撮影モードフラグが１であり撮影モードフラグがＰモードとなっていると判定するとＳ２２３へ進む。
Ｓ２２３では、表示部１０８に調光補正値、調光補正マークを表示してＳ２２４へ進む。
Ｓ２２４では、Ｓ２１１と同様に不図示のシンクロモードボタンの押し下げを判定し、押し下げを判定するとＳ２１２へ戻り、押し下げを判定しないとＳ１０（図２）へリターンする。
【００９１】
図８に進んで、Ｓ２３１では、ポップアップ検知スイッチＳＷ１のオン、オフにより閃光発光部１５１がポップアップしているか否かを判定する。閃光発光部１５１がポップアップしていると判定するとマグネット１０４を作動させて閃光発光部１５１をポップアップさせる必要はないのでＳ２３３へ進み、ポップアップしていないと判定すると閃光発光部１５１をポップアップさせるためにＳ２３２へ進む。
Ｓ２３２では、駆動回路１０５によりマグネット１０４を作動させて閃光発光部１５１をポップアップさせる。
【００９２】
以上のように、Ｓ２１１，Ｓ２１２，Ｓ２３１（Ｓ２３２）とステップを進むことにより、Ｐモードにおいて不図示のシンクロモードボタンを押下すると、閃光発光部１５１がポップアップしていない場合には、マグネット１０４を作動させて閃光発光部１５１をポップアップさせるようになっている。
Ｓ２３３では、スイッチＳＷ３，ＳＷ４の出力から不図示のメインコマンドダイヤルが反時計方向に回転したか否かを判定し、反時計方向に回転したと判定するとＳ２３４へ進み、そうでないと判定した場合は、Ｓ２３７へ進む。
【００９３】
Ｓ２３４では、ＰモードのシンクロモードパラメータＳが５であるか否か、すなわちＰモードのシンクロモードが後幕シンクロモードであるか否かを判定する。ＰモードのシンクロモードパラメータＳが５でありＰモードのシンクロモードが後幕シンクロモードとなっている場合には、Ｓ２３５へ進み、そうでない場合には、Ｓ２３６へ進む。
Ｓ２３５では、ＰモードのシンクロモードパラメータＳを１、すなわちＰモードのシンクロモードを先幕シンクロモードに設定してＳ２２１（図７）へ進む。
【００９４】
Ｓ２３６では、ＰモードのシンクロモードパラメータＳの値に１を加算してＳ２２１（図７）へ進む。これによりＰモードのシンクロモードが先幕シンクロモード（Ｓ＝１）の場合には、パラメータＳの値が２、すなわち赤目軽減シンクロモードとなる。また、Ｐモードのシンクロモードが赤目軽減シンクロモード（Ｓ＝２）の場合には、パラメータＳの値が３、すなわち赤目軽減スローシンクロモードとなる。さらに、Ｐモードのシンクロモードが赤目軽減スローシンクロモード（Ｓ＝３）の場合には、パラメータＳの値が４、すなわちスローシンクロモードとなる。さらにまた、Ｐモードのシンクロモードがスローシンクロモード（Ｓ＝４）の場合には、パラメータＳの値が５、すなわち後幕シンクロモードとなる。
【００９５】
以上のように、Ｓ２１１，Ｓ２１２，Ｓ２３１（２３２），Ｓ２３３〜Ｓ２３５及びＳ２１１，Ｓ２１２，Ｓ２３１（２３２），Ｓ２３３，Ｓ２３４，Ｓ２３６とステップを進むことにより、Ｐモードにおいて不図示のシンクロモードボタンを押しながら不図示のメインコマンドダイヤルを反時計方向に回転すると、Ｐモードのシンクロモードが先幕シンクロモード，赤目軽減シンクロモード，赤目軽減スローシンクロモード，スローシンクロモード，後幕シンクロモードの順に変化し、また先幕シンクロモードへ戻り、その後も同じパターンでサイクリックに変化する。
【００９６】
Ｓ２３７では、スイッチＳＷ３，ＳＷ４の出力から不図示のメインコマンドダイヤルが時計方向に回転したか否かを判定し、時計方向に回転したと判定するとＳ２３８へ進み、そうでないと判定した場合は、不図示のメインコマンドダイヤルは、回転していないと判断してＳ２４１へ進む。
Ｓ２３８では、ＰモードのシンクロモードパラメータＳが１であるか否か、すなわちＰモードのシンクロモードが先幕シンクロモードであるか否かを判定する。ＰモードのシンクロモードパラメータＳが１でありＰモードのシンクロモードが先幕シンクロモードになっている場合には、Ｓ２３９へ進み、そうでない場合には、Ｓ２４０へ進む。
【００９７】
Ｓ２３９では、ＰモードのシンクロモードパラメータＳを５、すなわちＰモードのシンクロモードを後幕シンクロモードに設定してＳ２２１（図７）へ進む。
Ｓ２４０では、ＰモードのシンクロモードパラメータＳの値から１を減算してＳ２２１（図７）へ進む。これによりＰモードのシンクロモードが赤目軽減シンクロモード（Ｓ＝２）の場合には、パラメータＳの値が１、すなわち先幕シンクロモードとなる。また、Ｐモードのシンクロモードが赤目軽減スローシンクロモード（Ｓ＝３）の場合には、パラメータＳの値が２、すなわち赤目軽減シンクロモードとなる。さらに、Ｐモードのシンクロモードがスローシンクロモード（Ｓ＝４）の場合には、パラメータＳの値が３、すなわち赤目軽減スローシンクロモードとなる。さらにまた、Ｐモードのシンクロモードが後幕シンクロモード（Ｓ＝５）の場合には、パラメータＳの値が４、すなわちスローシンクロモードとなる。
【００９８】
以上のように、Ｓ２１１，Ｓ２１２，Ｓ２３１（Ｓ２３２），Ｓ２３３，Ｓ２３７〜Ｓ２３９及びＳ２１１，Ｓ２１２，Ｓ２３１（Ｓ２３２），Ｓ２３３，Ｓ２３７，Ｓ２３８，Ｓ２４０とステップを進むことにより、Ｐモードにおいて不図示のシンクロモードボタンを押しながら不図示のメインコマンドダイヤルを時計方向に回転すると、Ｐモードのシンクロモードが先幕シンクロモード，後幕シンクロモード，スローシンクロモード，赤目軽減スローシンクロモード，赤目軽減シンクロモードの順に変化し、また先幕シンクロモードへ戻り、その後も同じパターンでサイクリックに変化する。
【００９９】
Ｓ２４１では、スイッチＳＷ５，ＳＷ６の出力から不図示のサブコマンドダイヤルが反時計方向に回転したか否かを判定し、反時計方向に回転したと判定するとＳ２４２へ進み、そうでないと判定した場合は、Ｓ２４４へ進む。
Ｓ２４２では、調光補正値Ｈの値が３．０であるか否かの判定を行う。調光補正値Ｈの値が３．０でない場合には、Ｓ２４３へ進み、調光補正値Ｈの値が３．０の場合には、Ｓ２２１（図７）へ進む。
Ｓ２４３では、調光補正値Ｈの値に０．５を加算してＳ２２１（図７）へ進む。
【０１００】
以上のように、Ｓ２１１，Ｓ２１２，Ｓ２３１（Ｓ２３２），Ｓ２３３，Ｓ２３７，Ｓ２４１，Ｓ２４２，Ｓ２２１及びＳ２１１，Ｓ２１２，Ｓ２３１（Ｓ２３２），Ｓ２３３，Ｓ２３７，Ｓ２４１〜Ｓ２４３とステップを進むことにより、Ｐモードにおいて不図示のシンクロモードボタンを押しながら不図示のサブコマンドダイヤルを反時計方向に回転すると、調光補正値が、−３．０から＋３．０まで０．５ずつ増加して３．０よりも大きくならないようになっている。
【０１０１】
Ｓ２４４では、スイッチＳＷ５，ＳＷ６の出力から不図示のサブコマンドダイヤルが時計方向に回転したか否かを判定し、時計方向に回転したと判定するとＳ２４５へ進み、そうでないと判定した場合は、Ｓ２２１（図７）へ進む。
Ｓ２４５では、調光補正値Ｈの値が−３．０であるか否かの判定を行う。調光補正値Ｈの値が−３．０でない場合には、Ｓ２４６へ進み、調光補正値Ｈの値が−３．０の場合には、Ｓ２２１（図７）へ進む。
【０１０２】
Ｓ２４６では、調光補正値Ｈの値から０．５を減算してＳ２２１（図７）へ進む。
以上のように、Ｓ２１１，Ｓ２１２，Ｓ２３１（Ｓ２３２），Ｓ２３３，Ｓ２３７，Ｓ２４１，Ｓ２４４，Ｓ２４５，Ｓ２２１及びＳ２１１，Ｓ２１２，Ｓ２３１（Ｓ２３２），Ｓ２３３，Ｓ２３７，Ｓ２４１，Ｓ２４４〜Ｓ２４６とステップを進むことにより、Ｐモードにおいて不図示のシンクロモードボタンを押しながら不図示のサブコマンドダイヤルを時計方向に回転すると、調光補正値が３．０から−３．０まで０．５ずつ減少して−３．０よりも小さくならないようになっている。
【０１０３】
図９に進んで、Ｓ２５１では、発光モード設定操作部材１１８により発光モードの設定操作が行われたか否かの判定を行う。発光モード設定操作部材１１８により発光モードの設定操作が行われたと判定するとＳ２５２へ進み、そうでないと判定するとＳ１０（図２）へリターンする。
Ｓ２５２では、発光モード設定操作部材１１８によりマニュアル発光モードに設定されたか否かの判定を行う。発光モード設定操作部材１１８によりマニュアル発光モードに設定されたと判定するとＳ２５３へ進み、そうでないと判定するとＳ２５４へ進む。
【０１０４】
Ｓ２５３では、発光モードパラメータＣを２にセット、すなわち発光モードをマニュアル発光モードへセットしてＳ１０（図２）へリターンする。
Ｓ２５４では、発光モード設定操作部材１１８によりコマンド発光モードに設定されたか否かの判定を行う。発光モード設定操作部材１１８によりコマンド発光モードに設定されたと判定するとＳ２５６へ進み、そうでないと判定するとＳ２５５へ進む。
Ｓ２５５では、発光モードパラメータＣを１にセット、すなわち発光モードをＴＴＬ調光モードへセットしてＳ１０（図２）へリターンする。
【０１０５】
Ｓ２５６では、発光モードパラメータＣを３にセット、すなわち発光モードをコマンド発光モードへセットしてＳ２５７へ進む。
Ｓ２５７では、発光モード設定操作部材１１８により遠隔閃光発光装置へ指示する発光モードが外部調光モードに設定されたか否かの判定を行う。発光モード設定操作部材１１８により遠隔閃光発光装置へ指示する発光モードが外部調光モードに設定されたと判定するとＳ２５８へ進み、そうでないと判定した場合には、Ｓ２５９へ進む。
Ｓ２５８では、遠隔閃光発光装置発光モードパラメータＣＣに２をセット、すなわち遠隔閃光発光装置へ指示する発光モードを外部調光モードに設定してＳ１０（図２）へリターンする。
【０１０６】
Ｓ２５９では、発光モード設定操作部材１１８により遠隔閃光発光装置へ指示する発光モードがマニュアル発光モードに設定されたか否かの判定を行う。発光モード設定操作部材１１８により遠隔閃光発光装置へ指示する発光モードがマニュアル発光モードに設定されたと判定するとＳ２６０へ進み、ＴＴＬ調光モードに設定されたと判定した場合には、Ｓ２６１へ進む。
Ｓ２６０では、遠隔閃光発光装置発光モードパラメータＣＣに３をセット、すなわち遠隔閃光発光装置へ指示する発光モードをマニュアル発光モードに設定してＳ１０（図２）へリターンする。
Ｓ２６１では、遠隔閃光発光装置発光モードパラメータＣＣに１をセット、すなわち遠隔閃光発光装置へ指示する発光モードをＴＴＬ調光モードに設定してＳ１０（図２）へリターンする。
【０１０７】
次に、Ｓ１０及びＳ１８に示した表示について図１０を用いて説明する。
図１０は、図２におけるＳ１０及びＳ１８の表示のサブルーチンを示すフローチャートである。
Ｓ３０１では、撮影モードフラグＭが１であるか否か、すなわち撮影モード設定部１０９により撮影モードがＰモードに設定されているか否かを判定する。撮影モードフラグＭが１であり撮影モードがＰモードに設定されていると判定するとＳ３０２へ進み、撮影モードが全自動モードに設定されていると判定するとＳ３１５へ進む。
【０１０８】
Ｓ３０２では、発光モードパラメータＣの値が３であるか否か、すなわち発光モードがコマンド発光モードであるか否かの判定を行う。発光モードパラメータＣの値が３であり発光モードがコマンド発光モードとなっている場合は、Ｓ３１４へ進み、そうでない場合は、Ｓ３０３へ進む。
Ｓ３０３では、発光モードパラメータＣの値が２であるか否か、すなわち発光モードがマニュアル発光モードであるか否かの判定を行う。発光モードパラメータＣの値が２であり発光モードがマニュアル発光モードとなっている場合は、Ｓ３０４へ進み、そうでない場合、すなわちＴＴＬ調光モードとなっている場合は、Ｓ３０５へ進む。
【０１０９】
Ｓ３０４では、表示部１０８にマニュアル発光モードの表示を行ってＳ３０５へ進む。
ここで、例えばマニュアル発光モードの表示は、図１７に示したマークを点灯する。
Ｓ３０５では、ＰモードのシンクロモードパラメータＳの値が１であるか否か、すなわちＰモードのシンクロモードが先幕シンクロモードであるか否かの判定を行う。ＰモードのシンクロモードパラメータＳの値が１でありＰモードのシンクロモードが先幕シンクロモードになっていると判定した場合にはＳ３０６へ進み、そうでないと判定した場合には、Ｓ３０７へ進む。
【０１１０】
Ｓ３０６では、表示部１０８に先幕シンクロモードの表示（図１２参照）を行ってＳ３２０へ進む。
Ｓ３０７では、ＰモードのシンクロモードパラメータＳの値が２であるか否か、すなわちＰモードのシンクロモードが赤目軽減シンクロモードであるか否かの判定を行う。ＰモードのシンクロモードパラメータＳの値が２でありＰモードのシンクロモードが赤目軽減シンクロモードになっていると判定した場合には、Ｓ３０８へ進み、そうでないと判定した場合には、Ｓ３０９へ進む。
【０１１１】
Ｓ３０８では、表示部１０８に赤目軽減シンクロモードの表示［図１３（ａ）］を行ってＳ３２０へ進む。
Ｓ３０９では、ＰモードのシンクロモードパラメータＳの値が３であるか否か、すなわちＰモードのシンクロモードが赤目軽減スローシンクロモードであるか否かの判定を行う。ＰモードのシンクロモードパラメータＳの値が３でありＰモードのシンクロモードが赤目軽減スローシンクロモードになっていると判定した場合には、Ｓ３１０へ進み、そうでないと判定した場合には、Ｓ３１１へ進む。
【０１１２】
Ｓ３１０では、表示部１０８に赤目軽減スローシンクロモードの表示［図１３（ｂ）］を行ってＳ３２０へ進む。
Ｓ３１１では、ＰモードのシンクロモードパラメータＳの値が４であるか否か、すなわちＰモードのシンクロモードがスローシンクロモードであるか否かの判定を行う。ＰモードのシンクロモードパラメータＳの値が４でありＰモードのシンクロモードがスローシンクロモードになっていると判定した場合には、Ｓ３１２へ進み、そうでない場合、すなわちＰモードのシンクロモードパラメータＳの値が５でありＰモードのシンクロモードが後幕シンクロモードになっていると判定した場合には、Ｓ３１３へ進む。
【０１１３】
Ｓ３１２では、表示部１０８にスローシンクロモードの表示［図１３（ｃ）］を行ってＳ３２０へ進む。
Ｓ３１３では、表示部１０８に後幕シンクロモードの表示［図１３（ｄ）］を行ってＳ３２０へ進む。
Ｓ３１４では、表示部１０８にコマンド発光モードの表示（図１６）を行ってＳ３２０へ進む。
【０１１４】
Ｓ３１５では、全自動モードのシンクロモードパラメータＳＳの値が１であるか否か、すなわち全自動モードのシンクロモードが自動発光モードであるか否かの判定を行う。全自動モードのシンクロモードパラメータＳＳの値が１であり全自動モードのシンクロモードが自動発光モードになっていると判定した場合には、Ｓ３１６へ進み、そうでないと判定した場合には、Ｓ３１７へ進む。
Ｓ３１６では、表示部１０８に自動発光モードの表示（図１４）を行ってＳ３２２へ進む。
【０１１５】
Ｓ３１７では、全自動モードのシンクロモードパラメータＳＳの値が２であるか否か、すなわち全自動モードのシンクロモードが赤目軽減自動発光モードであるか否かの判定を行う。全自動モードのシンクロモードパラメータＳＳの値が２であり全自動モードのシンクロモードが赤目軽減自動発光モードになっていると判定した場合には、Ｓ３１８へ進み、そうでない場合、すなわち全自動モードのシンクロモードパラメータＳＳの値が３であり全自動モードのシンクロモードが発光禁止モードになっていると判定した場合には、Ｓ３１９へ進む。
【０１１６】
Ｓ３１８では、表示部１０８に赤目軽減自動発光モードの表示［図１５（ａ）］を行ってＳ３２２へ進む。
Ｓ３１９では、表示部１０８に発光禁止モードの表示［図１５（ｂ）］を行ってＳ３２２へ進む。
Ｓ３２０では、調光補正値Ｈの値が０．０であるか否かの判定を行う。調光補正値Ｈの値が０．０の場合には、Ｓ３２２へ進み、調光補正値Ｈの値が０．０以外の場合には、Ｓ３２１へ進む。
Ｓ３２１では、表示部１０８に調光補正マークを点灯表示してＳ３２２へ進む。本実施例における調光補正マークは、図１２中に示したマークＣである。
Ｓ３２２では、表示部１０８にシャッタ速度、絞り値を表示して（図１８〜図２２参照）図２へリターンする。
【０１１７】
本実施例によれば、撮影モード設定部１０９により全自動モードが設定されている場合に、その後にコマンド発光モードを設定（Ｓ２５６）したとしても、その設定を無視（Ｓ２１，Ｓ５１〜Ｓ５５，Ｓ３３）して動作するので、全自動モードとコマンド発光モードとが同時に動作することを防止できるようになり、撮影者の意図する動作を自然に行うことができ、使い勝手をよくすることができる。全自動モードを選択しているということは、撮影者が初心者であったり、簡単に撮影を行いたい場合であったりすることが多い。そういった場合には、比較的高度な撮影技法であるコマンド発光モードを誤って設定してしまう恐れもあり、そのような場合、コマンド発光モードを実行してしまうと、撮影を失敗してしまう可能性が高くなる。そこで、本実施例では、全自動モードが設定されている場合には、コマンド発光モードの設定を無視して撮影者に意識させることなくＴＴＬ調光モードを実行し、撮影を失敗してしまうことを防止している。
【０１１８】
また、コマンド発光モードである旨の表示を、照明発光マークＡを消灯することにより行ったので、液晶表示のセグメントを増やすことなく、撮影者にコマンド発光モードに設定されていることを伝えることができる。
【０１１９】
さらに、シンクロモードスイッチＳＷ２を押しながらメインコマンドダイヤルを回転することによりシンクロモードの変更を行い、シンクロモードスイッチＳＷ２を押しながらサブコマンドダイヤルを回転することにより調光補正量を変更することができるので、スイッチの数を減らすことができ、コストダウンを図ることができるとともに、撮影者が操作する必要のある操作部材の数が減り、閃光発光部の設定に関する大部分の設定を上述の操作で行うことができることから、より使い易くすることができる。
【０１２０】
（変形例）
以上説明した実施例に限定されることなく、種々の変形や変更が可能であって、それらも本発明の均等の範囲内である。
（１）本実施例では、全自動モードが設定されている場合に、その後にコマンド発光モードを設定したとしても、その設定を無視して動作する例を示したが、これに限らず、例えば、あらかじめコマンド発光モードが設定されていて、その後に全自動モードが設定された場合に、後にされた設定、すなわち、全自動モードを無視して動作するようにしてもよい。
【０１２１】
（２）本実施例、及び、上記変形例（１）では、全自動モード又はコマンド発光モードの内で後にされた設定を無視するようにしている例を示したが、これに限らず、例えば、以下に列挙する変形例（２−１）〜（２−４）のようにして全自動モードとコマンド発光モードとが同時に動作しないようにしてもよい。
【０１２２】
（２−１）全自動モードとコマンド発光モードとが併せて設定された場合に、後に行われた設定に対応するように先に行われた設定を変更するようにしてもよい。すなわち、最初に全自動モードが設定されていたとしても、後でコマンド発光モードが設定された場合には、全自動モードをＰモードに変更したり、その逆に、コマンド発光モードが設定されていたとしても、後で全自動モードが設定された場合には、コマンド発光モードをＴＴＬ調光モードに変更したりしてもよい。なお、全自動モードをＰモードに変更するような場合、すなわち、撮影モードをカメラ自身の判断で変更する必要があるような場合（上述の変形例に限らず、他の変形例の場合等も含む）には、実施例に示した撮影モード設定部１０９のようなダイヤル式の機械的な選択操作部材とせず、押しボタンを押す毎に設定内容が変化する方式や、表示部を利用したメニュー選択方式等を採用するとよい。
【０１２３】
（２−２）全自動モードとコマンド発光モードとが併せて設定された場合には、後に行われた設定を解除するようにしてもよい。すなわち、最初に全自動モードが設定されていた場合、後でコマンド発光モードが設定されたとしても、その設定を強制的に解除したり、その逆に、最初にコマンド発光モードが設定されていた場合、後で全自動モードが設定されたとしても、その設定を強制的に解除したりしてもよい。
【０１２４】
（２−３）撮影モード設定部１０９及び発光モード設定操作部材１１８は、後に行われる設定では、全自動モードとコマンド発光モードとを併せて設定できないようにしてもよい。すなわち、あらかじめ撮影モード設定部１０９により全自動モードが設定されている場合には、その後で発光モード設定操作部材１１８によりコマンド発光モードを設定できないようにしたり、その逆に、あらかじめ発光モード設定操作部材１１８によりコマンド発光モードが設定されている場合には、その後で撮影モード設定部１０９により全自動モードを設定できないようにしたりしてもよい。
【０１２５】
（２−４）全自動モードとコマンド発光モードとが併せて設定されようとしたときや、全自動モードとコマンド発光モードとが併せて設定されたときに、警告音、警告を告げる音声、表示部に警告表示を行うなど、撮影者に対して何らかの警告を行う警告部を設けてもよい。なお、この警告部は、上述の実施例及び変形例とともに実施してもよいし、警告部だけをカメラに設けるようにしてもよい。
【０１２６】
（３）本実施例において、撮影モード設定部１０９によりＰモードと全自動モードを選択可能として、Ｐモードでは、閃光発光部１５１をマニュアル（手動操作）でポップアップする（手動移動モード）ようにし、全自動モードでは、閃光発光部１５１がオートポップアップ（自動移動モード）する例を示したが、これに限らず、例えば、撮影モード設定部１０９をオートポップアップするか否かの設定を行うオートポップアップ設定部（移動モード設定部）と置き換えて、全自動モードをオートポップアップモード、Ｐモードをマニュアルポップアップモードとするようにしてもよい。
【０１２７】
（４）本実施例において、デジタルカメラを例に挙げて説明したが、これに限らず、例えば、フィルムを用いた従来からの銀塩カメラであってもよい。
なお、本実施例によれば、以下の効果を奏することができる。
制御部は、自動移動モードと情報送信発光モードとが併せて動作しないように制御を行うので、撮影者の意図に沿った動作をすることができ、使い勝手をよくすることができる。よって、自動移動モード（オートポップアップ）を行うことができる閃光発光部を内蔵したカメラにおいて、適切な発光制御を行うことができる。
制御部は、自動移動モードと情報送信発光モードとが併せて設定された場合には、後に設定されたモードについて設定が行われなかった場合と同様な動作を行うので、撮影者に意識させることなく、自然に動作をすることができる。
制御部は、自動移動モードと情報送信発光モードとが併せて設定された場合には、後に行われた設定に対応するように先に行われた設定を変更するので、直前の操作が優先されるという点で、使い勝手のよいカメラとすることができる。
制御部は、自動移動モードと情報送信発光モードとが併せて設定された場合には、後に行われた設定を解除することができるので、設定を誤って行ったとしてもその設定がされていない状態と同じ状態となり、初心者等にとって使いやすいカメラとすることができる。
制御部は、自動移動モードを優先して制御を行うので、初心者等にとって使いやすいカメラとすることができる。
移動モード設定部及び発光モード設定部は、後に行われる設定では、自動移動モードと情報送信発光モードとを併せて設定できないようにするので、誤った設定をしてしまうことを防止できる。
自動移動モードと情報送信発光モードとが併せて設定されようとしたとき、及び／又は、自動移動モードと情報送信発光モードとが併せて設定されたときに、警告を行う警告部を有するので、撮影者は、自分の設定操作に問題があるということを認識できる。
表示部は、情報送信発光モードが設定されていることを表示するので、通常の使い方とは異なる情報送信発光モードであるということを撮影者が簡単に把握することができる。
表示部は、照明発光モードが設定されているときには、その旨を表す照明発光マークを表示し、照明発光マークを表示しないことにより情報送信発光モードが設定されていることを表すので、新たな表示パターンを用意しなくとも、情報送信発光モードが設定されていることを表示することができる。
第１のコマンドダイヤルは、駆動指示操作ボタンを操作しながら操作することにより、先幕シンクロ発光、赤目現象軽減発光、赤目現象軽減発光スローシンクロ発光、スローシンクロ発光、後幕シンクロ発光、発光禁止の中の少なくとも２つ以上の動作内容から選択的に指示することができるので、閃光発光に関する主な操作を簡単に設定することができる。
【図面の簡単な説明】
【０１２８】
【図１】本実施例における閃光発光部内蔵カメラの構成を示すブロック図である。
【図２】演算回路１０１の動作を示すメインルーチンのフローチャート（Ｓ１〜Ｓ１９）である。
【図３】演算回路１０１の動作を示すメインルーチンのフローチャート（Ｓ２０〜Ｓ３８）である。
【図４】演算回路１０１の動作を示すメインルーチンのフローチャート（Ｓ４１〜Ｓ４９）である。
【図５】演算回路１０１の動作を示すメインルーチンのフローチャート（Ｓ５１〜Ｓ５５）である。
【図６】図２におけるＳ８及びＳ１７の露出演算のサブルーチンを示すフローチャートである。
【図７】図２におけるＳ９の設定のサブルーチンを示すフローチャート（Ｓ２０１〜Ｓ２２２）である。
【図８】図２におけるＳ９の設定のサブルーチンを示すフローチャート（Ｓ２３１〜Ｓ２４６）である。
【図９】図２におけるＳ９の設定のサブルーチンを示すフローチャート（Ｓ２５１〜Ｓ２６１）である。
【図１０】図２におけるＳ１０及びＳ１８の表示のサブルーチンを示すフローチャートである。
【図１１】表示部１０８の表示セグメントを全て表示した図である。
【図１２】Ｐモード時に不図示のシンクロモードボタンを押下した時の表示部１０８の表示を示す図である。
【図１３】Ｐモードにおけるシンクロモード毎の表示を示す図である。
【図１４】全自動モード時に不図示のシンクロモードボタンを押下した時の表示部１０８の表示を示す図である。
【図１５】全自動モードにおけるシンクロモード毎の表示を示す図である。
【図１６】コマンド発光モード時の表示を示す図である。
【図１７】発光モードがマニュアル発光モード時に点灯するセグメントを示す図である。
【図１８】撮影モードがＰモード、シンクロモードが赤目軽減スローシンクロモードであり、発光モードは、ＴＴＬ調光モードであり、調光補正を設定した場合の表示例を示す図である。
【図１９】全自動モードでシンクロモードが自動発光モードの表示例を示す図である。
【図２０】撮影モードがＰモード、シンクロモードが先幕シンクロモードであり、発光モードは、マニュアル発光モードである場合の表示例を示す図である。
【図２１】全自動モードでシンクロモードが発光禁止モードの表示例を示す図である。
【図２２】撮影モードがＰモード、発光モードがコマンド発光モードの表示例を示す図である。
【図２３】本実施例の説明中で使用するパラメータを説明する図である。
【符号の説明】
【０１２９】
１０１  演算回路
１０２  閃光発光部発光回路
１０３  測光部
１０４  マグネット
１０５  駆動回路
１０６  ランプ
１０７  駆動回路
１０８  表示部
１０９  撮影モード設定部
１１２  モータ制御回路
１１３  シーケンスモータ
１１４  シャッタ制御回路
１１５  シャッタ
１１６  絞り位置検出装置
１１７  絞り係止装置
１１８  発光モード設定操作部材
１２１  撮像素子
１２２  Ａ／Ｄ変換回路
１２３  ＡＳＩＣ
１２４  タイミング回路
１２５  バッファメモリ
１２６  記録媒体
１５１  閃光発光部
ＳＷ１  ポップアップ検知スイッチ
ＳＷ２  シンクロモードスイッチ
ＳＷ３，ＳＷ４，ＳＷ５，ＳＷ６  スイッチ
ＳＷ７  シーケンススイッチ
ＳＷ８  Ｘ接点スイッチ
ＳＷ９  半押しスイッチ
ＳＷ１０  レリーズスイッチ
【図１】
0004604501.tif 000002
【図２】
0004604501.tif 000003
【図３】
0004604501.tif 000004
【図４】
0004604501.tif 000005
【図５】
0004604501.tif 000006
【図６】
0004604501.tif 000007
【図７】
0004604501.tif 000008
【図８】
0004604501.tif 000009
【図９】
0004604501.tif 000010
【図１０】
0004604501.tif 000011
【図１１】
0004604501.tif 000012
【図１２】
0004604501.tif 000013
【図１３】
0004604501.tif 000014
【図１４】
0004604501.tif 000015
【図１５】
0004604501.tif 000016
【図１６】
0004604501.tif 000017
【図１７】
0004604501.tif 000018
【図１８】
0004604501.tif 000019
【図１９】
0004604501.tif 000020
【図２０】
0004604501.tif 000021
【図２１】
0004604501.tif 000022
【図２２】
0004604501.tif 000023
【図２３】
0004604501.tif 000024